(57)【要約】【課題】衝撃等が起きた場合に第１の物体に対して第２の物体が予期せずに開くのを防止することが可能な動作制御装置を提供すること。【解決手段】動作制御装置は第１の物体と、該第１の物体に対して可動な第２の物体に適用可能である。第１の物体及び前記第２の物体のうちの一方は第１のブロック部材及び第２のブロック部を備え、第１の物体及び第２の物体のうちの他方は可動なブロック部材を備える。第２の物体が第１の物体に対して動かされ且つブロック部材が初期位置からブロック位置に動かされている場合、ブロック部材は、第２の物体が第１の物体に対して動くのを防止するために第１のブロック部及び第２のブロック部のうちの一方をブロックするように構成されている。【選択図】  図１
2019005541.tif 000002
【特許請求の範囲】
【請求項１】
第１の物体と、該第１の物体に対して可動な第２の物体に適用可能な動作制御装置であって、当該動作制御装置は、
前記第１の物体及び前記第２の物体のうちの一方に配置される第１のブロック部材であって、該第１のブロック部材は第１のブロック部及び第２のブロック部を含む、第１のブロック部材と、
前記第１の物体及び前記第２の物体のうちの他方に固定される支持プレートと、
前記支持プレートに配置されるとともに、前記支持プレートに対して初期位置とブロック位置との間で動かすことができる第２のブロック部材と、
を含み、
前記第２の物体が前記第１の物体に対して第１の方向に沿って動かされ且つ前記第２のブロック部材が前記初期位置から前記ブロック位置に動かされている場合、前記第２のブロック部材は、前記第２の物体が前記第１の物体に対して前記第１の方向に沿って動くのを防止するために前記第１のブロック部及び前記第２のブロック部のうちの一方をブロックするように構成されている、動作制御装置。
【請求項２】
前記第２の物体が前記第１の物体に対して前記第１の方向と反対の第２の方向に沿って所定の位置に動かされた場合、前記第１のブロック部及び前記第２のブロック部のうちの他方は前記第２のブロック部材を前記ブロック位置から遠ざけるために前記第２のブロック部材と接触する、請求項１に記載の動作制御装置。
【請求項３】
前記第２のブロック部材は前記第１のブロック部材に対応するストップ部を有する、請求項１に記載の動作制御装置。
【請求項４】
前記第１のブロック部と前記第２のブロック部との間に空間が定義され、前記第２のブロック部材のブロック位置は該空間内にある、請求項１に記載の動作制御装置。
【請求項５】
前記支持プレートに固定される第１のパーツと、前記支持プレートに可動に配置される第２のパーツと、該第１のパーツ及び該第２のパーツの間に配置される作動部材とをさらに含み、
前記作動部材は、前記第２のブロック部材を駆動して前記初期位置から前記ブロック位置に動かすために、前記第１のパーツと前記第２のパーツとの相対的な動きに対応して第１の位置から第２の位置に動くように構成されている、請求項１に記載の動作制御装置。
【請求項６】
前記第１のパーツと前記第２のパーツとの相対的な動きの方向は前記作動部材が前記第１の位置から前記第２の位置に動く方向とは異なる、請求項５に記載の動作制御装置。
【請求項７】
前記第２のブロック部材は前記作動部材に対応するガイド部を有し、前記作動部材は前記第２のブロック部材を駆動して該ガイド部を通じて前記初期位置から前記ブロック位置に動かすように構成され、前記第２のブロック部材のガイド部は傾斜面又は弧面を有し、前記作動部材はボールである、請求項５に記載の動作制御装置。
【請求項８】
第１の物体と、
前記第１の物体に対して可動な第２の物体と、
を含むパーツ組立体であって、
前記第１の物体及び前記第２の物体のうちの一方は第１のブロック部及び第２のブロック部を備え、
前記第１の物体及び前記第２の物体のうちの他方は可動なブロック部材を備え、
前記第２の物体が前記第１の物体に対して動かされ且つ前記ブロック部材が初期位置からブロック位置に動かされると、前記ブロック部材は前記第２の物体が前記第１の物体に対して動くのを防止するために前記第１のブロック部及び前記第２のブロック部のうちの一方をブロックするように構成されている、パーツ組立体。
【請求項９】
前記第１の物体は固定レールであり、前記第２の物体は可動レールである、請求項８に記載のパーツ組立体。
【請求項１０】
前記第１の物体は固定家具部であり、前記第２の物体は可動家具部である、請求項８に記載のパーツ組立体。
【発明の詳細な説明】
【技術分野】
【０００１】
本発明は動作制御装置（movement  control  device）に関し、より具体的には、可動な物体と固定された物体との相対的な動き（relative  movement）を制御することが可能な動作制御装置に関する。
【背景技術】
【０００２】
家具パーツ（例えば引き出し、キャビネット、ドア）等の可動な物体又は装置が地震に遭遇すると（又は衝突されるか若しくは傾けられると）、地震の間の振動力又は傾斜角度が大きすぎることによって家具パーツ又は装置の可動部材が固定部材に対してかってに開いてしまうことがある。したがって、安全性の理由から関連製品が開発されてきた。例えば、特許文献１にはヒンジドアの閉鎖装置が開示されている。該ドアは本体（３１）、ヒンジドア（３２）、ケース（３３）、ロック体（３８）及び少なくとも１つの球体（３７）を含む。少なくとも１つの球体（３７）は、ロック体（３８）が地震時に上方に動くのを防止してヒンジドア（３２）が僅かに開くだけになるようにヒンジドア（３２）を制御するためにロック体（３８）の上面に配置されている。
【０００３】
他方、特許文献２にはプッシュオープン及びセルフクローズ機能を有するスライドレールアセンブリが開示されている。引き出しは一対のスライドレールアセンブリを通じてキャビネットに取り付けることができる。引き出しがキャビネット内に引っ込められている場合、引き出しの前側パネルとキャビネットとの間に明らかな押圧間隙（obvious  pushing  gap）が形成される。押圧間隙があることで、ユーザーは引き出しを押して引き出しをキャビネットに対して動かすことができる。そのため、スライドレールアセンブリに設けられたプッシュ排出機構によって引き出しをキャビネットに対して開くことができる。
【先行技術文献】
【特許文献】
【０００４】
【特許文献１】米国特許第６５５０８２７号明細書
【特許文献２】米国特許第８１７２３４５号明細書
【発明の概要】
【発明が解決しようとする課題】
【０００５】
しかしながら、引き出しシステムが揺らされるか、傾けられるか又は衝突されると、プッシュオープン機能を有するそのような引き出しシステムの引き出しは意図せずに引き出され、人又は物体に危害をもたらし得る。
【０００６】
リビング空間には様々な種類の家具パーツ又は装置がある。したがって、家具パーツ又は装置が揺らされるか、傾けられるか又は衝突された場合に可動な物体によって人に危害を及ぼすのを防止することが重要である。
【０００７】
本発明は、衝撃、傾斜又は衝突が起きた場合に第１の物体に対して第２の物体が予期せずに開くのを防止することが可能な、パーツ組立体（part  assembly）のための動作制御装置に関する。
【課題を解決するための手段】
【０００８】
本発明の一実施形態によれば、動作制御装置は第１の物体と、該第１の物体に対して可動な第２の物体とに適用可能である。当該動作制御装置は第１のブロック部材、支持プレート及び第２のブロック部材を含む。第１のブロック部材は第１の物体及び第２の物体のうちの一方に配置される。第１のブロック部材は第１のブロック部及び第２のブロック部を含む。支持プレートは第１の物体及び第２の物体のうちの他方に固定される。第２のブロック部材は支持プレートに配置されるとともに、支持プレートに対して初期位置とブロック位置との間で動かすことができる。第２の物体が第１の物体に対して第１の方向に沿って動かされ且つ第２のブロック部材が初期位置からブロック位置に動かされている場合、第２のブロック部材は、第２の物体が第１の物体に対して第１の方向に沿って動くのを防止するために第１のブロック部及び前記第２のブロック部のうちの一方をブロックするように構成されている。
【０００９】
本発明の別の実施形態によれば、パーツ組立体は第１の物体と、該第１の物体に対して可動な第２の物体とを含む。第１の物体及び第２の物体のうちの一方は第１のブロック部及び第２のブロック部を備える。第１の物体及び第２の物体のうちの他方は可動なブロック部材を備える。第２の物体が第１の物体に対して動かされ且つブロック部材が初期位置からブロック位置に動かされると、ブロック部材は第２の物体が第１の物体に対して動くのを防止するために第１のブロック部及び第２のブロック部のうちの一方をブロックするように構成されている。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係る、スライドレールアセンブリに適用された動作制御装置を示す図である。
【図２】図２は、スライドレールアセンブリが揺らされるか又は傾けられたときの動作制御装置及びスライドレールアセンブリの動きを示す図である。
【図３】図３は、スライドレールアセンブリが揺らされるか又は傾けられたときにスライドレールアセンブリが動くのを防止するように構成された動作制御装置を示す図である。
【図４】図４は、スライドレールアセンブリがもはや揺らされていないか又は傾けられていないときにスライドレールアセンブリが初期位置に戻るプロセスを示す図である。
【図５】図５は、本発明の一実施形態に係る、引き出しシステムに適用された動作制御装置及びスライドレールアセンブリを示す図であり、引き出しシステムが揺らされるか又は傾けられたときに引き出しは固定されたキャビネットに対してそれらの間に隙間があるだけの状態で僅かに開いている。
【図６】図６は、本発明の一実施形態に係る、引き出しシステムに適用された動作制御装置を示す図であり、引き出しシステムが揺らされるか又は傾けられたときに引き出しは固定されたキャビネットに対してそれらの間に隙間があるだけの状態で僅かに開いている。
【図７】図７は、本発明の別の実施形態に係る、スライドレールアセンブリに適用された動作制御装置を示す図である。
【図８】図８は、本発明の別の実施形態に係る、スライドレールアセンブリが揺らされるか又は傾けられているときの動作制御装置及びスライドレールアセンブリの動きを示す図である。
【図９】図９は、本発明の別の実施形態に係る、スライドレールアセンブリが揺らされるか又は傾けられているときにスライドレールアセンブリが動くのを防止するように構成された動作制御装置を示す図である。
【図１０】図１０は、スライドレールアセンブリがもはや揺らされていないか又は傾けられていないときにスライドレールアセンブリが初期位置に戻るプロセスを示す図である
【図１１】図１１は、本発明の一実施形態に係る動作制御装置の分解図である。
【図１２】図１２は、本発明の一実施形態に係る作動される前の動作制御装置を示す図である。
【図１３】図１３は、本発明の一実施形態に係る作動された後の動作制御装置を示す図である。
【図１４】図１４は、本発明の一実施形態に係るキャビネットシステムの扉及びキャビネットに適用された動作制御装置を示す図である。
【図１５】図１５は、図１４の領域Ａの拡大図である。
【図１６】図１６は、キャビネットシステムが揺らされるか又は傾けられているときに、キャビネットに対して僅かに開いた扉と作動されている動作制御装置とを示す図である。
【図１７】図１７は、キャビネットシステムが揺らされるか又は傾けられているときに扉がさらに開くのを防止するように構成された動作制御装置を示す図である。
【図１８】図１８は、キャビネットシステムがもはや揺らされていないか又は傾けられていないときにキャビネットに対して閉まった扉を示す図である。
【発明を実施するための形態】
【００１２】
図１は、本発明の一実施形態に係るパーツ組立体のための動作制御装置２４を示す図である。パーツ組立体は第１の物体２０と、第１の物体２０に対して可動な第２の物体２２とを含む。図１に示すように、第２の物体２２は第１の物体２０に対して（閉鎖位置等の）所定の位置Ｐ０に位置している。第１の物体２０及び第２の物体２２の一方は第１のブロック部２８ａ及び第２のブロック部２８ｂを備える。本発明の一実施形態では、動作制御装置２４は第１のブロック部材２６、第２のブロック部材３０及び支持プレート２１を含む。第１のブロック部材２６は第１の物体２０及び第２の物体２２のうちの一方に配置されている。本実施形態では、第１のブロック部材２６は第２の物体２２に固定配置されている。第１のブロック部材２６は第１のブロック部２８ａ及び第２のブロック部２８ｂを有する。第１のブロック部材２６の第１のブロック部２８ａと第２のブロック部２８ｂとの間に空間Ｓが定義されている。第１の物体２０及び第２の物体２２のうちの他方には第２のブロック部材３０が設けられている。本発明の一実施形態では、第１の物体２０は支持プレート２１に固定接続され、第２のブロック部材３０は、第２のブロック部材３０が第１の物体２０に可動に配置されているように見なされるように支持プレート２１に対して可動になっている。本実施形態では、第２のブロック部材３０は第１のブロック部材２６に対応するストップ部３２を有する。さらに、第２のブロック部材３０は初期位置Ｐ１に位置している。
【００１３】
第１の物体２０は固定レールであり、第２の物体２２は可動レールであることが好ましい。
【００１４】
図２及び図３に示すように、パーツ組立体が揺らされるか又は傾けられているとき、第２の物体２２はそれに従って第１の物体２０に対して第１の方向Ｄ１に沿って動く。他方、第２のブロック部材３０も、パーツ組立体が揺らされるか又は傾けられることに起因して初期位置Ｐ１からブロック位置Ｐ２に動く。第２のブロック部材３０のブロック位置Ｐ２は空間Ｓ内にある。第２のブロック部材３０がブロック位置Ｐ２に位置している場合、第２のブロック部材３０のストップ部３２は第１のブロック部材２６の第１のブロック部２８ａ及び第２のブロック部２８ｂのうちの一方をブロックするように構成されている。本実施形態では、第２のブロック部材３０のストップ部３２は、第２の物体２２が第１の物体２０に対して第１の方向Ｄ１に沿ってさらに動くのを防止するために第１のブロック部材２６の第１のブロック部２８ａをブロックするように構成されている。
【００１５】
部品アセンブリがもはや揺らされていないか又は傾けられておらず且つ第２のブロック部材３０がまだブロック位置Ｐ２にある場合、第２の物体２２は第１の物体２０に対する外力によって（第１の方向Ｄ１と反対の）第２の方向Ｄ２に沿って所定の位置Ｐ０（閉鎖位置）に動かすことができる。そのようなプロセスの間、第２のブロック部材３０は第１のブロック部材２６の第１のブロック部２８ａ及び第２のブロック部２８ｂのうちの他方と接触する。図４に示すように、本実施形態では、第２のブロック部材３０は第１のブロック部材２６の第２のブロック部２８ｂと接触する。第２の物体２２が第１の物体２０に対して第２の方向Ｄ２に沿ってさらに動かされると、第２のブロック部材３０は第１のブロック部材２６の第２のブロック部２８ｂによって押されて、ブロック位置Ｐ２から離れ、図１に示す初期位置Ｐ１に戻る。第２のブロック部材３０が初期位置Ｐ１に戻ると、第２のブロック部材３０は、第２の物体２２を第１の物体２０に対して第１の方向Ｄ１に沿って自由に動かすことができるように第１のブロック部材２６をもはやブロックしていない。即ち、第２の物体２２を第１の物体２０に対して完全に開くか又は伸長することができる。
【００１６】
したがって、本発明の動作制御装置は図５に示す（引き出しシステム等の）家具システムに適用することができる。家具システムは（固定されたキャビネット等の）固定家具部３４と、（引き出し等の）可動家具部３６とを含む。第１の物体２０は固定家具部３４に固定取り付けされる固定レールであり、第２の物体２２は可動家具部３６に取り付けられる可動レールであり得る。家具システムが揺らされるか又は傾けられているとき、可動家具部３６は、可動家具部３６から物品が落ちるのを防止するために固定家具部３４に対してそれらの間に隙間があるだけの状態で僅かに開く。
【００１７】
図６に示すように、別の実施形態では、第１の物体２０は（引き出しキャビネット等の）固定家具部３４であり、第２の物体２２は（引き出し等の）可動家具部３６であり得る。動作制御装置２４の第１のブロック部材２６は可動家具部３６に配置され、第２のブロック部材３０は固定家具部３４に配置されている。家具システムが揺らされるか又は傾けられているとき、可動家具部３６から物品が落下するのを防止するために、可動家具部３６も固定家具部３４に対してそれらの間に隙間Ｇがあるだけの状態で僅かに開く。
【００１８】
図７は本発明の別の実施形態を示す。同様に、第２の物体２２は第１の物体２０に対して可動であり、第２の物体２２は第１の物体２０に対して（閉鎖位置等の）所定の位置Ｐ０に位置している。本実施形態では、第１のブロック部材２６は第１の物体２０に固定配置されている。第１のブロック部材２６は第１のブロック部２８ａ及び第２のブロック部２８ｂを有し、第１のブロック部材２６の第１のブロック部２８ａと第２のブロック部２８ｂとの間に空間Ｓが定義されている。本実施形態では、第２の物体２２は支持プレート２１に固定接続され、第２のブロック部材３０は第２のブロック部材３０が第２の物体２２に可動に設けられているように見なすことができるように支持プレート２１に対して可動である。本実施形態では、第２のブロック部材３０はストップ部３２を有する。さらに、第２のブロック部材３０は初期位置Ｐ１に位置している。
【００１９】
図８及び図９に示すように、パーツ組立体が揺らさられるか又は傾けられると、第２の物体２２はそれに従って第１の物体２０に対して第１の方向Ｄ１に沿って動く。他方、第２のブロック部材３０もパーツ組立体が揺らさられるか又は傾けられることに起因して初期位置Ｐ１からブロック位置Ｐ２に動く。第２のブロック部材３０のブロック位置Ｐ２は空間Ｓ内にある。第２のブロック部材３０がブロック位置Ｐ２に位置する場合、第２のブロック部材３０のストップ部３２は第１のブロック部材２６の第１のブロック部２８ａ及び第２のブロック部２８ｂのうちの一方をブロックするように構成されている。本実施形態では、第２のブロック部材３０のストップ部３２は、第２の物体２２が第１の物体２０に対して第１の方向Ｄ１に沿ってさらに動くのを防止するために第１のブロック部材２６の第２のブロック部２８ｂをブロックするように構成されている。
【００２０】
パーツ組立体がもはや揺らさられていないか又は傾けられておらず且つ第２のブロック部材３０がまだブロック位置Ｐ２にある場合、第２の物体２２は第１の物体２０に対する外力によって第２の方向Ｄ２に沿って所定の位置Ｐ０（閉鎖位置）に動かすことができる。そのようなプロセスの間、第２のブロック部材３０は第１のブロック部材２６の第１のブロック部２８ａ及び第２のブロック部２８ｂのうちの他方と接触する。図１０に示すように、本実施形態では、第２のブロック部材３０は第１のブロック部材２６の第１のブロック部２８ａと接触する。第２の物体２２が第１の物体２０に対して第２の方向Ｄ２に沿ってさらに動かされると、第２のブロック部材３０は第１のブロック部材２６の第１のブロック部２８ａによって押されてブロック位置Ｐ２から離れて図７に示す初期位置Ｐ１に戻る。第２のブロック部材３０が初期位置Ｐ１に戻ると、第２のブロック部材３０は第２の物体２２を第１の物体２０に対して第１の方向Ｄ１に沿って自由に動かすことができるように第１のブロック部材２６をもはやブロックしていない。即ち、第２の物体２２を第１の物体２０に対して完全に開くか又は伸長させることができる。
【００２１】
本発明の動作制御装置２４は機械的機構（mechanical  mechanism）により実施できる。図１１〜図１３に示すように、動作制御装置２４は支持プレート２１に固定される第１のパーツ３８、支持プレート２１に可動に配置される第２のパーツ４０及び第１のパーツ３８と第２のパーツ４０との間に配置される作動部材４２をさらに含む。動作制御装置２４が揺らされるか又は傾けられると、第１のパーツ３８と第２のパーツ４０との相対的な動きの方向は作動部材４２が第１の位置Ｋ１から第２の位置Ｋ２に動かされる方向とは異なる。本実施形態では、第１のパーツ３８と第２のパーツ４０との相対的な動きの方向は水平方向Ｈ１であり、作動部材４２の動きの方向は垂直方向Ｌ１である。作動部材４２はボール又は他の球状物体であり得るが、本発明はそのような構成に限定されない。加えて、第２のブロック部材３０は作動部材４２に対応するガイド部４４を有する。作動部材４２は第２のブロック部材３０を駆動して、ガイド部４４を通じて初期位置Ｐ１からブロック位置Ｐ２に動かすように構成されている。第２のブロック部材３０のガイド部４４は傾斜面又は弧面を有することが好ましい。第２のブロック部材３０は第１のパーツ３８に可動に配置されている。第２のブロック部材３０は第１のパーツ３８の第２の取り付け部５０よりも大きい周囲が囲まれた（bounded）第１の取り付け部４８を有し、第１の取り付け部４８及び第２の取り付け部５０は、第２のブロック部材３０が第１のパーツ限られた空間内で第１のパーツ３８に対して動くことができるように互いに対応して配置されていることが好ましい。第１のパーツ３８と第２のパーツ４０との相対的な動きを促進するために、複数の回転部材４６を第２のパーツ４０と支持プレート２１との間に配置することができる。そのような構成によれば、作動部材４２は、第２のブロック部材３０を動かすためさらに駆動させるために第１のパーツ３８と第２のパーツ４０との相対的に動きに反応して第１の位置Ｋ１から第２の位置Ｋ２に動かすことができる。しかしながら、前述の動作制御装置２４は本発明の一実施形態に過ぎず、本発明はそのような構成に限定されない。本発明の動作制御装置は異なる設計（機械又は非機械）によっても実施することができる。
【００２２】
図１４及び図１５に示すように、別の実施形態では、第１の物体２０は別の種類の固定家具部５２（例えば固定キャビネット）であり、第２の物体２２は別の種類の可動家具部５４（例えばドアプレート）であり得る。図１４は、固定家具部５２に対して（閉鎖位置等の）所定の位置Ｐ０に位置する可動家具部５４を示す図である。可動家具部５４は固定家具部５２に対して（開く方向等の）第１の方向Ｄ１に沿って開くか又は固定家具部５２に対して（閉じる方向に沿って）第２の方向Ｄ２に沿って閉じることができる。動作制御装置２４の第１のブロック部材２６は可動家具部５４に配置され、例えば可動家具部５４の上端に隣接する位置に配置されている。第２のブロック部材３０は固定家具部５２に配置され、例えば固定家具部５２の上側プレート５６に配置されている。動作制御装置２４の第１のブロック部材２６は第１のブロック部２８ａ及び第２のブロック部２８ｂを有する。第１のブロック部材２６の第１のブロック部２８ａと第２のブロック部２８ｂとの間に空間Ｓが定義されている。第２のブロック部材３０はストップ部３２を有する。さらに、第２のブロック部材３０は初期位置Ｐ１に位置している。
【００２３】
図１６及び図１７に示すように、家具システムが揺らされるか又は傾けられると、可動家具部５４はそれに従って固定家具部５２に対して第１の方向Ｄ１（開く方向）に沿って開く。他方、第２のブロック部材３０は、家具システムが揺らされるか又は傾けられることに起因して初期位置Ｐ１からブロック位置Ｐ２に動く。第２のブロック部材３０のブロック位置Ｐ２は空間Ｓ内にある。第２のブロック部材３０がブロック位置Ｐ２に位置している場合、第２のブロック部材３０のストップ部３２は第１のブロック部材２６の第１のブロック部２８ａ及び第２のブロック部２８ｂのうちの一方をブロックするように構成されている。本実施形態では、第２のブロック部材３０のストップ部３２は、可動家具部５４が固定家具部５２に対してさらに開くのを防止するために第１のブロック部材２６の第２のブロック部２８ｂをブロックするように構成されている。したがって、可動家具部５４は、可動家具部５４から物品が落下するのを防止するために固定家具部５２に対してそれらの間に隙間Ｇがあるだけの状態で僅かに開く。
【００２４】
家具システムがもはや揺らされていないか又は傾けられておらず且つ第２のブロック部材３０がまだブロック位置Ｐ２にある場合、可動家具部５４は固定家具部５２に対する外力により所定の位置Ｐ０（閉鎖位置）に第２の方向Ｄ２（閉じる方向）に沿って動かすことができる。そのようなプロセスの間、第２のブロック部材３０は第１のブロック部材２６の第１のブロック部２８ａ及び第２のブロック部２８ｂのうちの他方と接触する。図１８に示すように、本実施形態では、第２のブロック部材３０は第１のブロック部材２６の第１のブロック部２６ａと接触する。可動家具部５４が固定家具部５２に対して第２の方向Ｄ２に沿ってさらに動かされると、第２のブロック部材３０は第１のブロック部材２６の第１のブロック部２８ａによって押されてブロック位置Ｐ２から遠ざかり図１４及び図１５に示す初期位置Ｐ１に戻る。
【００２５】
したがって、本発明の動作制御装置は、可動物体が揺らされるか又は傾けられたときに、予期しない危害を防止するために動作制御装置が瞬間的な保護を提供するように構成されていることを特徴とする。とりわけ、動作制御装置がプッシュオープン型の引き出し等の排出型の可動物体に適用された場合、本発明の動作制御装置は、可動物体が衝突されるか、揺らされるか又は傾けられたときに人又は物への危害を回避するために可動物体が予期せずに排出されるのを防止することができる。
【００２６】
当業者であれば、本発明の教示を維持しながら多くの変更及び改良が装置及び方法に加えられ得ることに容易に気付く。従って、上記の開示は、添付の特許請求の範囲によってのみ限定されると解釈すべきである。
【符号の説明】
【００２７】
２０  第１の物体
２１  支持プレート
２２  第２の物体
２４  動作制御装置
２６  第１のブロック部材
２８ａ、２８ｂ  ブロック部
３０  第２のブロック部材
３２  ストップ部
３４  固定家具部
３６  可動家具部
３８  第１のパーツ
４０  第２のパーツ
４２  作動部材
４４  ガイド部
４６  回転部材
４８  第１の取り付け部
５０  第２の取り付け部
５２  固定家具部
５４  可動家具部
５６  上側プレート
【図１】
2019005541.tif 000003
【図２】
2019005541.tif 000004
【図３】
2019005541.tif 000005
【図４】
2019005541.tif 000006
【図５】
2019005541.tif 000007
【図６】
2019005541.tif 000008
【図７】
2019005541.tif 000009
【図８】
2019005541.tif 000010
【図９】
2019005541.tif 000011
【図１０】
2019005541.tif 000012
【図１１】
2019005541.tif 000013
【図１２】
2019005541.tif 000014
【図１３】
2019005541.tif 000015
【図１４】
2019005541.tif 000016
【図１５】
2019005541.tif 000017
【図１６】
2019005541.tif 000018
【図１７】
2019005541.tif 000019
【図１８】
2019005541.tif 000020